(57)【特許請求の範囲】
【請求項１】
外輪と、内輪と、その両輪間に組込まれたボール、およびそのボールを保持する保持器とから成り、前記外輪と内輪の一方を回転側軌道輪とし、その回転側軌道輪の回転が一方向回転とされた回転方向性玉軸受において、前記保持器が、円環状の基部に、その基部の軸方向一端面で開口するボール収容用の複数のポケットを円周方向に間隔をおいて形成し、各ポケットの開口部にボールの脱落を防止する一対の爪部を設けた冠形とされ、その冠形保持器の内・外の周面のうち、少なくとも前記回転側軌道輪と対向する側の周面に、前記回転側軌道輪と各ボールの接触部入口側にグリース溜りを形成する軸方向のリブを設け、各軸方向のリブが各ポケットのボール回転方向の先行側の開口縁に設けられた回転方向性玉軸受。
【発明の詳細な説明】
【０００１】
【発明の属する技術分野】
この発明は、回転方向が一方向とされる回転部品を回転自在に支持する回転方向性玉軸受に関するものである。
【０００２】
【従来の技術】
自動車エンジンのタイミングベルト用プーリや補機ベルト用プーリを回転自在に支持する玉軸受はエンジンのクランク軸の回転に依存する一方向回転であるため、負荷が比較的小さく、機械部品を支持する一般の玉軸受と異なってフレーキングの発生は殆どなく、軸受寿命はグリース寿命が支配的である。
【０００３】
玉軸受は、普通、外輪と内輪との間に組込まれたボールを保持器で保持し、前記外輪と内輪との間に保持されたグリースをボールの回転によってボールと外・内輪の接触部、およびボールと保持器に形成されたポケットの接触部に取り込んで、各接触部を潤滑するようにしている。
【０００４】
ここで、ボールの転動面と外・内輪の軌道面に形成される潤滑油膜の厚さは、ボールと前記軌道面の接触部入口側に存在するグリースの量に依存し、そのグリース量を多くすることによってボール転動面および外・内輪の軌道面に膜厚の厚い潤滑油膜を形成することができ、軸受寿命の向上を図ることができる。
【０００５】
【発明が解決しようとする課題】
ところで、従来から知られている玉軸受において、保持器が合成樹脂によって形成された玉軸受では、その保持器の強度を確保するため、保持器の外周面および内周面が外輪内周面および内輪外周面に近接する径寸法とされている。このため、外輪内周面と保持器外周面および内輪外周面と保持器内周面に形成される空間が小さく、多くのグリースを保持させることができない。
【０００６】
したがって、ボールと外・内輪の接触部およびボールと保持器におけるポケットの接触部に多くのグリースを取り込むことができず、自動車エンジンのプーリ用玉軸受としての使用において軸受寿命の長寿命化を期待することができない。
【０００７】
特開平１１−１６６５４０号公報には、保持器に形成されたポケットの外径側開口縁および内径側開口縁に面取り部を形成してグリースをポケット内に取り込み易くしているが、前記面取り部が各開口縁の保持器回転方向の前後に設けられているため、ボールの回転によって取り込まれたグリースが排出され易く、グリースの保持力が小さいという不都合がある。
【０００８】
この発明の課題は、回転方向性玉軸受の潤滑性を高め、軸受寿命の長寿命化を図ることである。
【０００９】
【課題を解決するための手段】
上記の課題を解決するために、この発明においては、外輪と、内輪と、その両輪間に組込まれたボール、およびそのボールを保持する保持器とから成り、前記外輪と内輪の一方を回転側軌道輪とし、その回転側軌道輪の回転が一方向回転とされた回転方向性玉軸受において、前記保持器が、円環状の基部に、その基部の軸方向一端面で開口するボール収容用の複数のポケットを円周方向に間隔をおいて形成し、各ポケットの開口部にボールの脱落を防止する一対の爪部を設けた冠形とされ、その冠形保持器の内・外の周面のうち、少なくとも前記回転側軌道輪と対向する側の周面に、前記回転側軌道輪と各ボールの接触部入口側にグリース溜りを形成する軸方向のリブを設け、各軸方向のリブが各ポケットのボール回転方向の先行側の開口縁に設けられた構成を採用したのである。
【００１０】
上記のように構成すれば、回転側軌道輪とボールの接触部入口側に多くのグリースを保持させることができると共に、接触部入口の開口を大きくすることができるため、グリースに対するボールの接触面積が拡大される。
【００１１】
また、回転側軌道輪との接触によってボールが転動し、そのボールの押圧によって保持器が回転した場合に、グリース溜りのグリースはリブによって保持器の回転方向に押されることになり、ボールに対してグリースを良好に接触させることができる。
【００１２】
このため、ボールの回転によってボールと回転側軌道輪の接触部およびボールと保持器ポケットの接触部に多くのグリースを取り込むことができ、ボールの転動面および軌道輪の軌道面に膜厚の厚い潤滑油膜を形成することができ、回転方向性玉軸受の潤滑性を高め、軸受寿命の長寿命化を図ることができる。
【００１３】
ここで、ポケットと、これに隣接するポケット間の一対の爪部間に円周方向のリブを設けることにより、保持器の強度を高めることができる。
【００１４】
また、保持器の外周面および内周面のそれぞれにリブを設け、各リブを各ポケットのボール回転方向の先行側とすることにより、外輪とボールの接触部入口側およびボールと内輪の接触部入口側に多くのグリースを保持させることができ、ボールと外・内輪の接触部およびボールとポケットの接触部により多くのグリースを取り込むことができる。
【００１５】
【発明の実施の形態】
以下、この発明の実施の形態を図面に基づいて説明する。図１（Ｉ）、（II）は、この発明に係る回転方向性玉軸受の第１の実施の形態を示す。玉軸受は、外輪１と、内輪２と、その両輪１、２間に組込まれたボール３およびそのボール３を保持する保持器４から成り、前記外輪１の内周面と内輪２の外周面間に形成された空間の軸方向両端部は外輪１の内周面両端部に取付けられたシール５によって閉塞されている。
【００１６】
上記玉軸受における外輪１は回転側軌道輪とされて図１（Ｉ）の矢印方向にのみ回転されるようになっている。外輪１の回転時、その外輪１との接触によってボール３は矢印方向に回転して外輪１の内周面に形成された軌道面１ａおよび内輪２の外周面に設けられた軌道面２ａに沿って転動し、その転動により保持器４も前記外輪１と同方向に回転する。
【００１７】
保持器４は合成樹脂から成る。この保持器４は、図１（Ｉ）、（II）および図２に示すように、玉軸受のピッチ円径より外径がやや大きい円環状の基部６を有し、その基部６の円周方向に前記ボール３を収容する複数のポケット７が等間隔に形成されている。
【００１８】
ポケット７は基部６の軸方向一端面で開口し、その開口部にボール３の脱落を防止する一対の爪部８が設けられている。隣接するポケット７間の一対の爪部８間には円周方向のリブ９が設けられている。図示の例では、リブ９の外表面と基部６の外周面を同一面としているが、リブ９の外表面が基部６の外周面より低くなるように前記外周面との間で保持器半径方向に段差を設けてもよい。
【００１９】
前記基部６の外周面には、各ボール３と外輪１の接触部入口側にグリース溜り１０を形成する軸方向のリブ１１が設けられている。
【００２０】
このように、基部６の外周面に対するリブ１１の形成によって各ボール３と外輪１の接触部入口側にグリース溜り１０を設けることにより、前記接触部入口側に多くのグリースを保持することができると共に、接触部入口の開口を大きくすることができ、グリース溜り１０に保持されたグリースに対するボールの接触面積の増大を図ることができる。
【００２１】
また、外輪１の回転に伴って保持器４が回転すると、軸方向のリブ１１はグリース溜り１０に保持されたグリースを保持器４の周方向に押すことになり、ボール３とグリースの接触が高められることになる。
【００２２】
このため、ボール３の回転によって、ボール３と外輪１の接触部およびボール３とポケット７の接触部に多くのグリースを取り込むことができ、ボール３の転動面および外・内輪１、２の軌道面１ａ、２ａに膜厚の厚い潤滑油膜を形成することができる。したがって、玉軸受の潤滑性を高め、軸受寿命の長寿命化を図ることができる。
【００２３】
また、隣接するポケット７間の一対の爪部８間に円周方向のリブ９を設けることによって保持器４の強度を高めることができ、耐久性に優れた保持器４を得ることができる。
【００２４】
図３（Ｉ）、（II）は、この発明に係る玉軸受の第２の実施の形態を示す。この第２の実施の形態で示される玉軸受と第１の実施形態で示される玉軸受とは保持器の形状が異なり、内輪２を回転側軌道輪としている点で相違している。
【００２５】
第２の実施形態における内輪２は図３（Ｉ）の矢印方向に回転されるようになっており、その内輪２の回転に伴ってボール３は矢印方向に接触回転し、ボール３を保持する保持器１４は内輪２と同方向に回転するようになっている。
【００２６】
保持器１４は、円環状の基部１５を有し、その基部１５の内径は玉軸受のピッチ円径よりやや小径とされている。基部１５には複数のポケット１６が円周方向に等間隔に形成されている。各ポケット１６は基部１５の軸方向一端面で開口し、その開口部にボール３の脱落を防止する一対の爪部１７が設けられ、隣接するポケット１６間の一対の爪部１７間には円周方向のリブ１８が設けられている。
【００２７】
また、基部１５の内周面には、内輪２と各ボール３の接触部入口側にグリース溜り１９を形成する軸方向のリブ２０が各ポケット１６の保持器回転方向の後行側に設けられている。
【００２８】
上記のように、回転側軌道輪である内輪２とボール３の接触部入口側にグリース溜り１９を設けることにより、前記接触部入口に多くのグリースを保持させることができると共に、接触部入口の開口を大きくすることができ、グリースに対するボールの接触面積の増大を図ることができる。
【００２９】
また、内輪２の回転に伴って保持器１４が回転すると、軸方向のリブ２０はグリース溜り１９内のグリースを保持器１４の回転方向に押すことになり、ボール３とグリースの接触を高めることができる。
【００３０】
このため、ボール３の回転によって、内輪２とボール３の接触部およびボール３とポケット１６の接触部に多くのグリースを取り込むことができ、ボール３の転動面および外・内輪１、２の軌道面１ａ、２ａに膜厚の厚い潤滑油膜を形成することができる。
【００３１】
したがって、玉軸受の潤滑性を高め、回転方向性玉軸受の長寿命化を図ることができる。
【００３２】
図４は、この発明に係る玉軸受の第３の実施の形態を示す。この第３の実施形態で示される玉軸受においては、第１の実施形態で示される玉軸受の保持器４の基部６内径を玉軸受のピッチ円径よりやや小径とし、その基部６の内径面に内輪２とボール３の接触部入口側にグリース溜り２１を形成する軸方向のリブ２２を設けている。
【００３３】
上記のように、内輪２とボール３の接触部入口側にグリース溜り２１を設けることにより、外・内輪１、２の軌道面１ａ、２ａおよびボール３の転動面に膜厚のより厚い潤滑油膜を形成することができ、回転方向性玉軸受の長寿命化をより向上させることができる。
【００３４】
【発明の効果】
以上のように、この発明においては、回転側軌道輪とボールの接触部入口側に多くのグリースを保持させることができるため、軌道輪とボールの接触部およびボールと保持器におけるポケットの接触部に多くのグリースを取り込むことができると共に、軌道輪の軌道面およびボールの転動面に膜厚の厚い潤滑油膜を形成することができる。このため、回転方向性玉軸受の潤滑性を高め、軸受寿命の長寿命化を図ることができる。
【図面の簡単な説明】
【図１】（Ｉ）はこの発明に係る回転方向性玉軸受の第１の実施形態を示す縦断正面図、（II）は縦断側面図
【図２】図１に示す玉軸受の保持器を示す斜視図
【図３】（Ｉ）はこの発明に係る回転方向性玉軸受の第２の実施形態を示す縦断正面図、（II）は縦断側面図
【図４】（Ｉ）はこの発明に係る回転方向性玉軸受の第３の実施形態を示す縦断正面図、（II）は縦断側面図
【符号の説明】
１    外輪
２    内輪
３    ボール
４    保持器
６    基部
７    ポケット
８    爪部
９    リブ
１０  グリース溜り
１１  リブ
１４  保持器
１５  基部
１６  ポケット
１７  爪部
１８  リブ
１９  グリース溜り
２０  リブ
２１  グリース溜り
２２  リブ
【図１】
0004136298.tif 000002
【図２】
0004136298.tif 000003
【図３】
0004136298.tif 000004
【図４】
0004136298.tif 000005